(57)【要約】      （修正有）【課題】それぞれ別の専用の道具を用いることなく、一つの道具でもって筆記と切断の双方を行うことを可能とするカッターおよびマルチペンを提供する。【解決手段】本カッター１０は、複数の芯体２ａ、２ｂが収容体１に収容されていて、使用者が各芯体２ａ、２ｂに対応する操作部５ａ、５ｂを操作することで、各芯体２ａ、２ｂの一つの作用部位３ａたる筆記部を収容体１の先端から出すことのできるマルチペン構造を用いたカッターであって、芯体２ａ、２ｂのうち少なくとも一つの芯体２ｂにおける作用部位３ｂが刃物である構成とする。マルチペン構造の具体的構成としては、多色ボールペン等マルチペンにおける従来公知の構成を用いることができる。【選択図】図２
0003194947.tif 000002
【実用新案登録請求の範囲】
【請求項１】
複数の芯体が収容体に収容されていて操作部を操作することで各芯体の一つの作用部位たる筆記部を該収容体先端から出すことのできるマルチペン構造を用いたカッターであって、該芯体のうち少なくとも一つにおける作用部位が刃物であることを特徴とする、カッター。
【請求項２】
前記マルチペン構造が多色ボールペンであることを特徴とする、請求項１に記載のカッター。
【請求項３】
前記刃物が少なくとも新聞紙用紙を切れる程度の仕様に形成されていることを特徴とする、請求項１または２に記載のカッター。
【請求項４】
前記刃物を有する芯体が他の芯体の作用部位とは視覚的に識別可能に形成されていることを特徴とする、請求項１ないし３のいずれかに記載のカッター。
【請求項５】
前記刃物を有する芯体が他の芯体の作用部位とは異なる色もしくは形状またはその両方であり、これにより両者を識別可能に形成されていることを特徴とする、請求項１ないし３のいずれかに記載のカッター。
【請求項６】
複数の芯体が収容体に収容されていて操作部を操作することで各芯体の一つの作用部位たる筆記部を該収容体先端から出すことのできるマルチペン構造を用いたマルチペンであって、該芯体のうち少なくとも一つにおける作用部位が刃物であり、カッターとしても使用可能であることを特徴とする、マルチペン。
【請求項７】
カッター付きの多色ボールペンであることを特徴とする、請求項６に記載のマルチペン。
【考案の詳細な説明】
【技術分野】
【０００１】
本考案はカッターおよびマルチペンに係り、異種機能の複合により新たな便利さを提供するものである。
【背景技術】
【０００２】
文房具分野では数多くの技術的提案がなされており、一本で複数種類の色で筆記することができる構造となっているマルチペンまたは多色ボールペンに関しても、さまざまな改良考案や、新規考案が出願、登録されている。たとえば後掲特許文献１には、多色ボールペンにおいて使用頻度の高い色のインキの量を、他の色のインキより多くして長く使用できるようにするために、使用頻度の高い色のインキが充填される管の内容積を他の色のインキが充填される管のそれよりも大きくなるようにした構成が開示されている。
【０００３】
また特許文献２には、多色ボールペンの芯三本の内の一本にタッチパネル専用のペン先を装着した構成によって、携帯情報機器のへの文字入力・操作の際に、このペン先を使用でき、残りの二本は普通のボールペンとして使用できる構成が開示されている。
【先行技術文献】
【特許文献】
【０００４】
【特許文献１】特開平６−３１６１９５号公報「多色ボールペン」
【特許文献２】実用新案登録第３１１６９８４号公報「ペン入力携帯情報機器のタッチパネル用ペン先を装着した多色ボールペン」
【考案の概要】
【考案が解決しようとする課題】
【０００５】
さて、多色ボールペンは、一本の中に複数本の芯を備えていて使用者の選択操作によって使用したい芯を選択できる筆記具、すなわちマルチペンの一種である。かかるマルチペン独特の構造（以下、「マルチペン構造」という。）には、上記特許文献２のように、ポールペン芯以外の筆記機能や筆記操作を模した入力機能を複合させることも可能である。
【０００６】
しかし、元来が筆記機能そのものであるマルチペン構造に対して、筆記機能や筆記操作を模した入力機能以外の機能を複合させることは、容易に想到できることではない。したがって、たとえばマルチペン構造にカッターを複合させた構成も、従来提案されたことはない。だが、たとえば新聞等の記事の切り抜きを行うに際して、日付や出典等を筆記するための筆記機能と、当該記事を切断、切り抜きするための、紙一枚を切れる程度で十分なカッター機能とが一体となった道具があれば、便利である。従来、新聞紙一枚程度のみを切ることのできるカッターは存在するが、単独機能の道具でしかなく、結局、筆記具とは別に携帯・所持しなくてはならない。
【０００７】
そこで本考案が解決しようとする課題は、たとえば新聞等の記事の切り抜きを行うに際して、日付や出典等を筆記するための筆記機能と、当該記事を切断、切り抜きするためのカッター機能とが一体となっていることにより、それぞれ別の専用の道具を用いることなく、一つの道具でもって筆記と切断の双方を行うことを可能とする、カッターおよびマルチペンを提供することである。また、新聞紙程度の厚さ・強度の紙を一枚程度のみ切ることのできるカッター機能を有した、筆記機能付きのカッターあるいはマルチペンを提供することである。
【課題を解決するための手段】
【０００８】
本願考案者は上記課題について検討した結果、マルチペン構造における芯の一つをカッター機能のものとすることによって解決できることに想到し、これに基づいて本考案を完成するに至った。すなわち、上記課題を解決するための手段として本願で実用新案登録請求される考案、もしくは少なくとも開示される考案は、以下の通りである。
【０００９】
〔１〕  複数の芯体が収容体に収容されていて操作部を操作することで各芯体の一つの作用部位たる筆記部を該収容体先端から出すことのできるマルチペン構造を用いたカッターであって、該芯体のうち少なくとも一つにおける作用部位が刃物であることを特徴とする、カッター。
〔２〕  前記マルチペン構造が多色ボールペンであることを特徴とする、〔１〕に記載のカッター。
〔３〕  前記刃物が少なくとも新聞紙用紙を切れる程度の仕様に形成されていることを特徴とする、〔１〕または〔２〕に記載のカッター。
〔４〕  前記刃物を有する芯体が他の芯体の作用部位とは視覚的に識別可能に形成されていることを特徴とする、〔１〕ないし〔３〕のいずれかに記載のカッター。
【００１０】
〔５〕  前記刃物を有する芯体が他の芯体の作用部位とは異なる色もしくは形状またはその両方であり、これにより両者を識別可能に形成されていることを特徴とする、〔１〕ないし〔３〕のいずれかに記載のカッター。
〔６〕  複数の芯体が収容体に収容されていて操作部を操作することで各芯体の一つの作用部位たる筆記部を該収容体先端から出すことのできるマルチペン構造を用いたマルチペンであって、該芯体のうち少なくとも一つにおける作用部位が刃物であり、カッターとしても使用可能であることを特徴とする、マルチペン。
〔７〕  カッター付きの多色ボールペンであることを特徴とする、〔６〕に記載のマルチペン。
【考案の効果】
【００１１】
本考案のカッターおよびマルチペンは上述のように構成されるため、これによれば、筆記具とカッターの機能を、それぞれ別の専用の道具を併せ用いることなく、一つの道具でもって賄うことができる。つまり、筆記と切断の双方を、本稿案のカッターまたはマルチペンによって行うことできる。
【００１２】
したがって、たとえば新聞や雑誌等の記事の切り抜きを行う場合に、日付や出典等を筆記するための筆記作用と、当該記事を切断、切り抜きするためのカッター作用とを、本考案のカッター（またはマルチペン）一本を用いることによって実現することができ、便利である。また、カッター機能部分の設計によって、新聞紙程度の厚さ・強度の紙を一枚程度のみ切ることのできるカッター機能を有した、筆記機能付きのカッターあるいはマルチペンを提供することもでき、便利である。
【図面の簡単な説明】
【００１３】
【図１】本考案カッターの基本的な構成例を示す外観図である。
【図２】図１の構成例の内部説明図である。
【図３】図１の構成例における、筆記部を有する芯体の要部構成を示す説明図である。
【図４】図１の構成例における、刃物を有する芯体の要部構成を示す説明図である。
【図５】芯体を識別できる本考案カッター例を示す要部説明図である。
【考案を実施するための形態】
【００１４】
以下、図面により本考案を詳細に説明する。なお本考案は、カッター機能の筆記具機能のいずれを主としてこれを把握するかによって、前者の場合にはカッター、後者の場合にはマルチペンと表現される。以下の説明では、カッターを主として説明する。
図１は、本考案カッターの基本的な構成例を示す外観図である。また、
図２は図１の構成例の内部説明図、図３、４は同例の芯体の要部構成を示す説明図である。なお図３、４において（ａ）は作用部位を左方に配置した側面図、（ｂ）は作用部位の正面から見た図である。
【００１５】
これらに示すように本カッター１０は、複数の芯体２ａ、２ｂ等が収容体１に収容されていて、使用者が各芯体２ａ等に対応する操作部５ａ等を操作することで、各芯体２ａ等の一つの作用部位３ａたる筆記部３Ｐを収容体１の開口した先端から出すことのできるマルチペン構造を用いたカッターであって、芯体２ａ等のうち少なくとも一つ（図では２ｂ）における作用部位３ｂが刃物４Ｃであることを、主たる構成とする。
【００１６】
マルチペン構造の具体的構成としては、多色ボールペン等マルチペンにおける従来公知の構成を用いることができる。また、芯体２ａ等や収容体１、操作部５ａ等の具体的構成も従来公知のものを用いることができ、図示する例には限定されない。また、図では芯体２ａ等が２本示されているが、設ける芯体の数はこれに限定されず、２本以上の適宜の数とすることができる。
【００１７】
また、作用部位３ａ等とはその芯体２ａ等における用途・機能が実現される部位である。たとえば芯体がボールペンの構造である場合は、作用部位としての筆記部３Ｐは当然ながらボールペンの先端部の構造である。なお、筆記部３Ｐはボールペン先端部構造に限定されず、他にもシャープペンシルの構造など、従来のマルチペンにおいて採用されている機能であれば、いかなるものでも用いることができる。
【００１８】
また、刃物４Ｃの具体的構造や仕様も、これが切断機能を有する構造すなわちカッターとして使用できるものである限り、従来公知のいかなる構成であってもよい。したがって、切断できる対象やそのための強度、材質、形状等は全て、適宜に設計可能である。なお図示するように、先端部をある程度の長さをもったテーパーに形成することで、繊維構造を有する紙をより切りやすくなり、高いカッター機能を得ることができるとともに、安全でもある。また、作用部位として刃物４Ｃを有する芯体の数は、カッター１０あたり一本以上備であればよく、二本以上であってもよい。
【００１９】
以上述べた構成により、本カッター１０では、操作部５ａ等を押す等の操作によってそれに対応した芯体２ａ等の作用部位３ａ等を収容体１の先端から出して、所定の機能を発揮せしめることができる。図の例では、操作部５ａを操作することによって芯体２ａの作用部位３ａすなわち筆記部３Ｐが収容体１の先端から出る状態となり、本カッター１０を筆記具として用いることができる。一方、操作部５ｂを操作することによって芯体２ｂの作用部位３ｂすなわち刃物４Ｃが収容体１の先端から出る状態となり、本カッター１０をカッターとして用いることができる。
【００２０】
上述したように、刃物４Ｃの切断対象・具体的な仕様等は適宜自由に設計できる。たとえば本カッター１０の主な用途を、新聞や雑誌等からの記事の切り抜き用とした場合には、刃物４Ｃは、少なくとも新聞紙用紙や雑誌用紙を切れる程度の仕様に形成すればよい。
【００２１】
図５は、芯体を識別できる本考案カッター例を示す要部説明図である。図示するように本考案カッターは、刃物２４Ｃを有する芯体２２ｂを、他の芯体２２ａの作用部位２３ａとは視覚的に識別可能に形成した構成とすることができる。これはたとえば、相互に異なる色で彩色することにより、簡単に実現できる。かかる構成とすることにより、収容部先端から出ている作用部位が筆記部２３Ｐか、それとも刃物２４Ｃかを容易かつ明確に識別することができ、不注意による使用者の怪我の発生や、器物の破損を未然に防止することができる。なお、形状による相違、あるいは、色彩および形状による相違によって識別可能な構造としてもよい。
【００２２】
なお以上説明した本考案カッター１０等は、複数の芯体２ａ、２ｂ等が収容体１等に収容されていて操作部５ａ等を操作することで各芯体２ａ等の一つの作用部位たる筆記部３Ｐ等を収容体１等先端から出すことのできるマルチペン構造を用いたマルチペンであって、芯体のうち少なくとも一つにおける作用部位３ｂ等が刃物４Ｃ等であり、カッターとしても使用可能なマルチペンである、と把握することもできる。ポールペンである筆記部３Ｐ等が複数設けられていて色の種類が複数である場合、これは、カッター付きの多色ボールペンであるといえる。
【産業上の利用可能性】
【００２３】
本考案のカッターおよびマルチペンによれば、筆記具とカッターの機能を、それぞれ別の専用の道具を併せ用いることなく一つの道具でもって賄うことができる。したがって、文房具・事務用品分野および関連する全分野において、利用価値が高い考案である。
【符号の説明】
【００２４】
１…収容体
２ａ、２ｂ、２２ａ、２２ｂ…芯体
３ａ、３ｂ、２３ａ、２３ｂ…作用部位
３Ｐ、２３Ｐ…筆記部
４Ｃ、２４Ｃ…刃物
５ａ、５ｂ…操作部
１０…カッター
【図１】
0003194947.tif 000003
【図２】
0003194947.tif 000004
【図３】
0003194947.tif 000005
【図４】
0003194947.tif 000006
【図５】
0003194947.tif 000007